(57)【要約】【課題】上下方向における輝度ムラを抑制することのできる電気光学装置の駆動方法、電気光学装置および電子機器を提供すること。【解決手段】各フレームの第１サブフィールドＳＦ１でデータ信号１１又は１３を画素に書き込み、第２サブフィールドＳＦ２でデータ信号と同極性でかつ電圧値が最大の非データ信号１２又は１４を画素に書き込む。ＳＦ１からＳＦ２への移行時に、各信号線にかかる電位の変化は小さくなり、各画素電極電位のリーク量は少なくなる。また、非データ信号の書き込みにより黒表示（ノーマリホワイト・モードの場合）させた後、前フレームのデータ信号とは極性の異なるデータ信号を画素に書き込む。黒表示は液晶のＶ−Ｔ曲線の安定領域にあり、多少の電圧変化があっても透過率の変化は少ないため、ＳＦ２から次フレームのＳＦ１への移行時に、各画素での液晶の透過率の変化、つまり輝度の変化は少ない。【選択図】図１
2006285270.tif 000002
【特許請求の範囲】
【請求項１】
複数の走査線と複数の信号線の交差部に対応してマトリクス状に配置された複数の画素に設けられた複数の画素電極と、共通電極電位が供給される対向電極とを備えた電気光学装置の駆動方法において、
各前記画素にデータ信号を供給する期間同士の間に、各前記画素を白表示とする信号を各前記画素に供給する期間を設けることを特徴とする電気光学装置の駆動方法。
【請求項２】
複数の走査線と複数の信号線の交差部に対応してマトリクス状に配置された複数の画素に設けられた複数の画素電極と、共通電極電位が供給される対向電極とを備えた電気光学装置の駆動方法において、
各前記画素にデータ信号を供給する期間同士の間に、各前記画素電極の電位と前記共通電極電位とを等しくする信号を各前記画素に供給する期間を設けることを特徴とする電気光学装置の駆動方法。
【請求項３】
複数の走査線と複数の信号線の交差部に対応してマトリクス状に配置された複数の画素に設けられた複数の画素電極と、共通電極電位が供給される対向電極とを備えた電気光学装置において、
各前記画素にデータ信号を供給する期間同士の間に、各前記画素を白表示とする信号を各前記画素に供給する期間を設けることを特徴とする電気光学装置。
【請求項４】
複数の走査線と複数の信号線の交差部に対応してマトリクス状に配置された複数の画素に設けられた複数の画素電極と、共通電極電位が供給される対向電極とを備えた電気光学装置において、
各前記画素にデータ信号を供給する期間同士の間に、各前記画素電極の電位と前記共通電極電位とを等しくする信号を各前記画素に供給する期間を設けることを特徴とする電気光学装置。
【請求項５】
請求項３または４に記載の電気光学装置を備えることを特徴とする電子機器。
【発明の詳細な説明】
【技術分野】
【０００１】
本発明は、電気光学装置の駆動方法、電気光学装置および電子機器に関する。
【背景技術】
【０００２】
従来の電気光学装置として、マトリクス状に配置された複数の画素にそれぞれ薄膜トランジスタが設けられたアクティブマトリクス液晶表示装置で、各画素の画素電極と液晶を介して対向する共通線の電位をフィールドごとに反転させるようにしたものが知られている（例えば、特許文献１の図４参照）。この液晶表示装置では、共通線の電位をフィールドごとに反転させることで、正極性のビデオ信号と負極性のビデオ信号とがフィールドごとに交互に各画素に書き込まれ、液晶が交流駆動される。これにより、ビデオ信号などのデータ信号の振幅を小さくすることができ、低消費電力を実現できるなどの利点が得られる。
【０００３】
また、別の従来技術として、カイラルスメクチック液晶を用い、高速応答と階調制御を可能にし、動画質を向上させるようにした液晶表示装置が知られている（例えば、特許文献２参照）。この液晶表示装置では、メモリ性（双安定性）のある強誘電性液晶として、カイラルスメクチック液晶を用い、階調表示を実現するためにメモリ性を消失させている（単安定化させている）。具体的には、正極性の電圧（Ｅ＞０）を印加したときには、液晶分子が電圧無印加時（Ｅ＝０）の位置に対して電圧の極性に応じた方向にチルト（スイッチング）する。このチルトの角度は印加電圧の大きさに応じたものになる。一方、負極性の電圧（Ｅ＜０）を印加したときには、液晶分子は電圧無印加時と同じ位置にとどまる。
【０００４】
このようにメモリ性を消失させたカイラルスメクチック液晶を用いた液晶表示装置では、特許文献２の図１４および図１５に示されているように、１フレームを２つのフィールドに分割し、第一フィールド１Ｆでは正極性の電圧Ｖｘを液晶に印加し、第二フィールド２Ｆでは負極性の電圧−Ｖｘを液晶に印加する。これにより、第一フィールド１Ｆでは電圧Ｖｘに応じた階調表示状態（透過光量）が各画素で得られ、第二フィールド２Ｆでは実質的に０レベルの透過光量が各画素で得られる。つまり、同文献２には、一方の極性の電圧で光の透過をアナログ的に制御し、他方の極性の電圧では光を透過させない単安定化液晶材料の動作特性を利用したフレーム反転駆動方式の液晶表示装置が提案されている。
【特許文献１】特開平８―３３４７４１号公報
【特許文献２】特開２０００―１００７６号公報
【発明の開示】
【発明が解決しようとする課題】
【０００５】
ところで、上記特許文献１のようにフレーム反転駆動を行う従来技術では、液晶表示パネルの上下方向における輝度ムラが発生するおそれがある。その理由を、フレーム反転駆動される図１５に示す液晶表示パネル１００に基づいて説明する。この液晶表示パネル１００では、複数の走査線Ｙ１〜Ｙｍが例えば上から順に選択され、各画素に正極性のデータ信号が順に書き込まれて１フレーム（以下、このフレームを「正フィールド」という。）が構成される。次のフレーム（以下、このフレームを「負フィールド」という。）では、複数の走査線Ｙ１〜Ｙｍが同様に選択され、各画素に負極性のデータ信号が順に書き込まれる。
【０００６】
このような動作が１フレームごとに繰り返されるため、走査線Ｙ１〜Ｙｍの内、１フレームにおいて選択される順番がより遅い走査線に接続された各画素では、その順番の早い走査線に接続された各画素と比べて、データ信号が書き込まれてから次フレームに移るまでの時間がより短くなる。つまり、選択される順番がより遅い走査線に接続された各画素では、次フレームで信号線にかかる電位が反転される影響をより長い時間受けることになる。これにより、走査線Ｙ１〜Ｙｍにそれぞれ接続された各画素に書き込まれて保持されたデータ信号に応じた各画素の画素電極電位は、スイッチング素子のオフ抵抗を通じてリークするが、そのリーク量（各画素電極で低下する電位）は、液晶表示パネル１００の下方にある画素ほど大きくなる。その結果、液晶表示パネル１００の上下方向の輝度は、より下方に位置する画素ほど各画素電極で低下する電圧値が大きくなるので、より明るい表示となる（ノーマリホワイト・モードの場合）。
【０００７】
また、上記特許文献２の従来技術でも、上記特許文献１と同様に、液晶表示パネルの上下方向における輝度ムラが発生するおそれがある。これは、上記第二フィールド２Ｆで０レベルの透過光量が各画素で得られるように、第二フィールド２Ｆで第一フィールド１Ｆとは逆極性の電圧（負極性の電圧−Ｖｘ）を液晶に印加するためである。そのため、第一フィールド１Ｆで各画素にデータ信号（正極性の電圧Ｖｘ）を書き込んでから第二フィールド２Ｆで負極性の電圧−Ｖｘが印加されるまでの保持期間中における各画素電極の電圧変動が液晶表示パネルの上下方向で大きく異なるためである。
【０００８】
そこで、本発明は、このような従来の問題点に鑑みてなされたもので、その目的は、上下方向における輝度ムラを抑制することのできる電気光学装置の駆動方法、電気光学装置および電子機器を提供することにある。
【課題を解決するための手段】
【０００９】
本発明における電気光学装置は、２つの基板間に設けた電気光学素子と、複数の走査線と複数の信号線の交差部に対応してマトリクス状に配置された複数の画素にそれぞれ設けたスイッチング素子とを備え、該スイッチング素子を介して各画素に正極性のデータ信号と負極性のデータ信号を１フレームごとに交互に書き込むように構成された電気光学装置の駆動方法において、各フレームで前記正極性のデータ信号又は負極性のデータ信号のいずれかを書き込んだ後に、その書き込んだ前記データ信号と同じ極性でかつ電圧値が最大の非データ信号を前記画素に書き込み、前記非データ信号の書き込み後に、前フレームで書き込んだ前記データ信号とは極性の異なるデータ信号を前記画素に書き込むことを要旨とする。
【００１０】
これによれば、各フレームで正極性又は負極性のデータ信号のいずれかを書き込んだ後に、その書き込んだデータ信号と同じ極性でかつ電圧値が最大の非データ信号を画素に書き込むようにしている。これにより、各フレームでデータ信号を書き込んだ後に非データ信号を画素に書き込んだとき、各信号線にかかる電位の変化は、互いに同極性であるデータ信号と非データ信号との差分であり、上記通常のフレーム反転駆動に比べて小さくなる。そのため、データ信号が書き込まれた各画素の画素電極電位は、各信号線にかかる電位の変化の影響を受けてスイッチング素子のオフ抵抗を通じたリークにより変動するが、そのリーク量は上記通常のフレーム反転駆動に比べて少なくなる。なお、ここにいう「通常のフレーム反転駆動」とは、上記特許文献１および特許文献２を用いて説明した上記従来技術の液晶表示装置でそれぞれ行っている駆動方法をいう。
【００１１】
また、各フレームでデータ信号を書き込んだ後に、その書き込んだデータ信号と同じ極性でかつ電圧値が最大の非データ信号を画素に書き込むようにしている。これにより、電気光学素子が液晶で、表示モードがノーマリホワイト・モードの場合には黒表示が得られ、表示モードがノーマリブラック・モードの場合には白表示が得られる。こうして各フレームで画素に白表示或いは黒表示をさせた後に（次フレームで）、前フレームで書き込んだデータ信号とは極性の異なるデータ信号を画素に書き込むようにしている。こうして白表示或いは黒表示をさせた後に、前フレームで書き込んだデータ信号とは極性の異なるデータ信号を画素に書き込んだときにも、白表示或いは黒表示の電圧が保持された各画素の画素電極電位は、各信号線にかかる電位の変化による影響を受けて前記リークにより変動する。しかし、白表示或いは黒表示は、Ｖ−Ｔ曲線の安定領域にあり、多少の電圧変化があっても透過率の変化は少ない。そのため、白表示或いは黒表示をさせた後に、前フレームで書き込んだデータ信号とは極性の異なるデータ信号を画素に書き込んだときに、各信号線にかかる電位の変化による影響を受けて各画素の画素電極電位が変動しても、各画素での液晶の透過率の変化、つまり輝度の変化は少ない。
【００１２】
以上のようなフレーム反転駆動を行うので、各信号線にかかる電位の変化による影響を受けて各画素の画素電極電位が変動することによるクロストーク、即ち上下方向における輝度ムラを抑制することができる。また、前記非データ信号の書き込みにより画素に黒表示をさせる場合、データ信号がそれぞれ書き込まれる一つのフレームと次フレームとの間に、黒表示の期間が作られることになる。これにより、インパルス型の表示（非ホールド型の表示）が得られ、動画質が向上する利点も同時に得られる。
【００１３】
この電気光学装置の駆動方法において、前記電気光学素子は液晶であり、前記スイッチング素子として、前記複数の走査線を順に選択する各選択期間に走査信号が供給されるとオン状態となる３端子スイッチング素子を用い、前記複数の信号線から供給される前記データ信号と前記非データ信号とを、オン状態となった前記３端子スイッチング素子を介して前記画素に線順次で書き込む。
【００１４】
これによれば、各画素のスイッチング素子として薄膜トランジスタ（ＴＦＴ）のような３端子スイッチング素子を用いた３端子型アクティブマトリクス液晶表示装置において、上下方向における輝度ムラの抑制と、動画質の向上とを図ることができる。
【００１５】
本発明における電気光学装置の駆動方法は、２つの基板間に設けた電気光学素子と、複数の走査線と複数の信号線の交差部に対応してマトリクス状に配置された複数の画素にそれぞれ設けたスイッチング素子とを備え、該スイッチング素子を介して各画素にパルス幅変調方式で正極性のデータ信号と負極性のデータ信号を１フレームごとに交互に書き込むように構成された電気光学装置の駆動方法において、各フレームで前記正極性のデータ信号又は負極性のデータ信号のいずれかを書き込んだ後に、その書き込んだ前記データ信号と同じ極性でパルス幅が最大の非データ信号を前記画素に書き込み、前記非データ信号の書き込み後に、前フレームで書き込んだ前記データ信号とは極性の異なるデータ信号を前記画素に書き込むことを要旨とする。
【００１６】
これによれば、各フレームで正極性のデータ信号又は負極性のデータ信号のいずれかを書き込んだ後に、その書き込んだ前記データ信号と同じ極性でパルス幅が最大の非データ信号を前記画素に書き込むようにしている。このように、データ信号の書き込み後に画素に書き込む非データ信号は、前フレームで書き込んだデータ信号と同じ極性でパルス幅が最大の電圧信号である。そのため、各フレームでデータ信号を書き込んだ後に、非データ信号を画素に書き込んだとき、各信号線にかかる電位の変化はない。そのため、データ信号が書き込まれた各画素の画素電極電位は、スイッチング素子のオフ抵抗を通じたリークにより変動しない。
【００１７】
また、非データ信号の書き込み後に、前フレームで書き込んだ前記データ信号とは極性の異なるデータ信号を前記画素に書き込むようにしている。非データ信号の書き込みにより、電気光学素子が液晶で、表示モードがノーマリホワイト・モードの場合には黒表示が得られ、ノーマリブラック・モードの場合には白表示が得られる。こうして各フレームで画素に白表示或いは黒表示をさせた後に、前フレームのデータ信号とは極性の異なるデータ信号を画素に書き込んだとき、白表示或いは黒表示の電圧が保持された各画素の画素電極電位は、各信号線にかかる電位の変化による影響を受けて前記リークにより変動する。しかし、白表示或いは黒表示は、Ｖ−Ｔ曲線の安定領域にあり、多少の電圧変化があっても透過率の変化は少ない。そのため、白表示或いは黒表示をさせた後に、前フレームで書き込んだデータ信号とは極性の異なるデータ信号を画素に書き込んだときに、各信号線にかかる電位の変化による影響を受けて各画素の画素電極電位が変動しても、各画素での液晶の透過率の変化、つまり輝度の変化は少ない。
【００１８】
以上のようなフレーム反転駆動を行うので、各信号線にかかる電位の変化による影響を受けて各画素の画素電極電位が変動することによるクロストーク、即ち上下方向における輝度ムラを抑制することができる。また、前記非データ信号の書き込みにより画素に黒表示をさせる場合、データ信号がそれぞれ書き込まれる一つのフレームと次フレームとの間に、黒表示の期間が作られることになる。これにより、インパルス型の表示（非ホールド型の表示）が得られ、動画質が向上する利点も同時に得られる。
【００１９】
この電気光学装置の駆動方法において、前記電気光学素子は液晶であり、前記スイッチング素子として、複数の走査線が順に選択される各選択期間に、前記走査線を介して１フレームごとに交互に供給される正又は負の走査電圧と、前記各選択期間に前記信号線を介して供給される信号電圧との差分電圧が閾値を超えるとオン状態となる２端子スイッチング素子を用い、前記各選択期間に前記差分電圧である前記データ信号或いは前記非データ信号を線順次で前記画素に書き込む。
【００２０】
これによれば、各画素のスイッチング素子としてＭＩＭ素子などの非線形抵抗素子のような２端子スイッチング素子を用いた２端子型アクティブマトリクス液晶表示装置において、上下方向における輝度ムラの抑制と、動画質の向上とを図ることができる。
【００２１】
この電気光学装置の駆動方法において、各フレームを第１サブフィールドと第２サブフィールドに分割し、各フレームの第１サブフィールド期間に前フレームとは極性の異なるデータ信号を書き込み、各フレームの第２サブフィールド期間に前記非データ信号を書き込む。
【００２２】
これによれば、１フレームの第１サブフィールドで正極性又は負極性のデータ信号が書き込まれて１画面の表示がなされ、同じフレームの第２サブフィールドで非データ信号が書き込まれて白表示或いは黒表示がなされる。これにより、チラツキの少ない表示が得られる。
【００２３】
この電気光学装置の駆動方法において、前記第２サブフィールドで前記非データ信号を書き込んで保持する時間を、前記第１サブフィールドで前記データ信号を書き込んで保持する時間より短くする。
【００２４】
これによれば、データ信号を書き込んで保持する時間を十分にとることができ、より明るい表示を実現することができる。
この電気光学装置の駆動方法において、極性の異なる前記データ信号をそれぞれ書き込む２つのフレーム間に、前記非データ信号を書き込むための１フレームをそれぞれ設ける。
【００２５】
これによれば、極性の異なる前記データ信号をそれぞれ書き込む２つのフレーム間に、非データ信号を書き込むための１フレームをそれぞれ設けているので、データ信号と非データ信号を書き込むタイミングの制御が容易になるとともに、データ信号を書き込む時間を十分にとることができる。
【００２６】
この電気光学装置の駆動方法において、前記２つのフレーム間に設けた１フレームで前記データ信号を書き込む時間を、前記２つのフレームでそれぞれデータ信号を書き込む時間より短くする。
【００２７】
これによれば、データ信号を書き込んで保持する時間を十分にとることができ、より明るい表示を実現することができる。
本発明における電気光学装置は、２つの基板間に設けた電気光学素子と、複数の走査線と複数の信号線の交差部に対応してマトリクス状に配置された複数の画素にそれぞれ設けたスイッチング素子とを備え、該スイッチング素子を介して各画素に正極性のデータ信号と負極性のデータ信号を１フレームごとに交互に書き込むように構成された電気光学装置において、前記複数の走査線を順に選択する各選択期間に走査信号が供給されるとオン状態となる前記スイッチング素子としての３端子スイッチング素子と、前記複数の走査線および信号線をそれぞれ駆動する走査線駆動回路および信号線駆動回路と、各フレームで前記正極性のデータ信号又は負極性のデータ信号のいずれかを書き込んだ後に、その書き込んだ前記データ信号と同じ極性でかつ電圧値が最大の非データ信号を前記画素に書き込み、前記非データ信号の書き込み後に、前フレームで書き込んだ前記データ信号とは極性の異なるデータ信号を前記画素に書き込むように、前記走査線駆動回路および信号線駆動回路を制御する制御回路と、を備えることを要旨とする。
【００２８】
これによれば、各画素のスイッチング素子として薄膜トランジスタのような３端子スイッチング素子を用いた３端子型アクティブマトリクス液晶表示装置において、上下方向における輝度ムラの抑制と、動画質の向上とを図ることができる。
【００２９】
本発明における電気光学装置は、２つの基板間に設けた電気光学素子と、複数の走査線と複数の信号線の交差部に対応してマトリクス状に配置された複数の画素にそれぞれ設けたスイッチング素子とを備え、該スイッチング素子を介して各画素に正極性のデータ信号と負極性のデータ信号を１フレームごとに交互に書き込むように構成された電気光学装置において、前記複数の走査線が順に選択される各選択期間に前記走査線を介して１フレームごとに交互に供給される正又は負の走査電圧と、前記信号線を介して供給される信号電圧との差分電圧で階調に応じたパルス幅を有するデータ信号が閾値を超えるとオン状態となる前記スイッチング素子としての２端子スイッチング素子と、前記複数の走査線および信号線をそれぞれ駆動する走査線駆動回路および信号線駆動回路と、各フレームの前記選択期間に正極性の前記データ信号又は負極性のデータ信号のいずれかを書き込んだ後に、その書き込んだ前記データ信号と同じ極性でパルス幅が最大の非データ信号を前記画素に書き込み、前記非データ信号の書き込み後に、前フレームで書き込んだ前記データ信号とは極性の異なるデータ信号を前記画素に書き込むことを要旨とする。
【００３０】
これによれば、各画素のスイッチング素子としてＭＩＭ素子などの非線形抵抗素子のような２端子スイッチング素子を用いた２端子型アクティブマトリクス液晶表示装置において、上下方向における輝度ムラを抑制することができる。また、前記非データ信号の書き込みにより画素に黒表示をさせる場合、動画質が向上する利点も同時に得られる。
【００３１】
また、本発明は、複数の走査線と複数の信号線の交差部に対応してマトリクス状に配置された複数の画素に設けられた複数の画素電極と、共通電極電位が供給される対向電極とを備えた電気光学装置の駆動方法において、各前記画素にデータ信号を供給する期間同士の間に、各前記画素を白表示とする信号を各前記画素に供給する期間を設けることを特徴とする。
【００３２】
また、複数の走査線と複数の信号線の交差部に対応してマトリクス状に配置された複数の画素に設けられた複数の画素電極と、共通電極電位が供給される対向電極とを備えた電気光学装置の駆動方法において、各前記画素にデータ信号を供給する期間同士の間に、各前記画素電極の電位と前記共通電極電位とを等しくする信号を各前記画素に供給する期間を設けることを特徴とする。
【００３３】
また、複数の走査線と複数の信号線の交差部に対応してマトリクス状に配置された複数の画素に設けられた複数の画素電極と、共通電極電位が供給される対向電極とを備えた電気光学装置において、各前記画素にデータ信号を供給する期間同士の間に、各前記画素を白表示とする信号を各前記画素に供給する期間を設けることを特徴とする。
【００３４】
複数の走査線と複数の信号線の交差部に対応してマトリクス状に配置された複数の画素に設けられた複数の画素電極と、共通電極電位が供給される対向電極とを備えた電気光学装置において、各前記画素にデータ信号を供給する期間同士の間に、各前記画素電極の電位と前記共通電極電位とを等しくする信号を各前記画素に供給する期間を設けることを特徴とする。
【００３５】
また、本発明の電気光学装置を用いた電子機器によれば、電子機器の表示品質を向上させることができる。従って、視認性の良い電子機器を実現することができる。
【発明を実施するための最良の形態】
【００３６】
以下、本発明を液晶表示装置に適用した各実施形態を図面に基づいて説明する。
【００３７】
[ 第１実施形態]
第１実施形態に係る液晶表示装置を図１〜図７に基づいて説明する。
図１は第１実施形態に係る液晶表示装置の駆動方法を示し、図２はこの液晶表示装置で用いる液晶のＶ−Ｔ特性（電圧−透過率特性）を示している。また、図３は液晶表示装置の駆動回路の電気的構成を概略的に示しており、図４は液晶表示パネルの電気的等価回路の一部を示している。
【００３８】
第１実施形態に係る液晶表示装置は、薄膜トランジスタ（ＴＦＴ）などの３端子スイッチング素子を用いた３端子型アクティブマトリクス液晶表示装置であり、その表示モードはノーマリホワイト・モードである。また、この液晶表示装置では、マトリクス状に配置された複数の画素の各スイッチング素子を介して各画素に正極性のデータ信号と負極性のデータ信号を１フレームごとに交互に書き込むフレーム反転駆動を行う。
【００３９】
本発明に係る液晶表示装置の駆動方法（フレーム反転駆動）は、各フレームでデータ信号を書き込んだ後に、その書き込んだデータ信号と同じ極性でかつ電圧値が最大の非データ信号を画素に線順次で書き込む。この非データ信号の書き込み後に、前フレームのデータ信号とは極性の異なるデータ信号を画素に線順次で書き込むようにしている点が特徴となっている。
【００４０】
本実施形態の液晶表示装置では、図１に示すように、１フレームを２つのサブフィールドＳＦ１，ＳＦ２に分割し、各フレームの第１サブフィールドＳＦ１で前フレームとは極性の異なるデータ信号を線順次で書き込み、各フレームの第２サブフィールドＳＦ２で前記非データ信号を線順次で書き込むようにしている。つまり、正極性のデータ信号を書き込むプラスフィールドでは、第１サブフィールドＳＦ１で正極性（＋Ｖｐ）のデータ信号１１を書き込み、第２サブフィールドＳＦ２でデータ信号１１と同じ極性（正極性）でかつ電圧値が最大（＋Ｖｍａｘ）の非データ信号１２を画素の全てに書き込む。こうして非データ信号１２を画素の全てに書き込んだ第２サブフィールドＳＦ２の期間では、液晶表示パネル２１の表示モードが各画素電極２９に印加する電圧の絶対値（画素電圧）が高くなると表示が暗くなるノーマリホワイト・モードであるので、黒表示が得られる。
【００４１】
こうして黒表示をさせた後に、次フレームであるマイナスフィールドでは、第１サブフィールドＳＦ１で負極性（―Ｖｐ）のデータ信号１３を書き込み、第２サブフィールドＳＦ２でデータ信号１３と同じ極性でかつ電圧値が最大（―Ｖｍａｘ）の非データ信号１４を画素の全てに書き込む。こうして非データ信号１４を画素の全てに書き込んだ第２サブフィールドＳＦ２の期間では、黒表示が得られる。このような動作を繰り返す。
【００４２】
本実施形態の液晶表示装置は、図３に示す液晶表示パネル２１を備える。この液晶表示パネル２１は、図示を省略した素子基板と対向基板とを備え、これら２つの基板の間にＴＮ（Twisted Nematic ）型の液晶２４（図４参照）が封入されている。また、液晶表示パネル２１は、図３及び図４に示すように、ｍ行の走査線Ｙ１〜Ｙｍとｎ列の信号線Ｘ１〜Ｘｎとの交差部に対応してマトリクス状に配置されたｍ×ｎ個の画素２５と、各画素２５に設けたスイッチング素子としての薄膜トランジスタ（以下、「ＴＦＴ」という。）２６とを備えている。
【００４３】
図３及び図４に示すように、各画素２５のＴＦＴ２６のゲートは走査線Ｙ１〜Ｙｍの１つに、そのソースは信号線Ｘ１〜Ｘｎの一つに、そして、そのドレインは対応する１つの画素２５の画素電極２９にそれぞれ接続されている。各画素２５の画素電極２９は、図４に示すように、対向基板側に設けた１つの共通電極３０と液晶２４を介してそれぞれ対向している。この共通電極３０の電位（共通電極電位ＬＣＣＯＭ）を１フレームごとに反転させて上記フレーム反転駆動を行うようになっている。また、各画素２５は、矩形状の画素電極２９と共通電極３０の間の液晶２４で構成される液晶容量３１と、この液晶容量３１と並列に接続され、同液晶容量のリークを低減するための容量素子である蓄積容量３２とを備えている。各蓄積容量３２のマイナス側端子は、容量配線４１に接続されている。
【００４４】
次に、液晶表示装置の液晶表示パネル２１を駆動する駆動回路の電気的構成を図３及び図４に基づいて説明する。この駆動回路は、走査線Ｙ１〜Ｙｍを駆動するための左右２つの走査線駆動回路３３，３３と、信号線Ｘ１〜Ｘｎを駆動するための信号線駆動回路３４と、走査線駆動回路３３及び信号線駆動回路３４を制御する制御回路３５とを備えている。制御回路３５には、データ信号と、同期信号と、クロック信号とが外部回路から入力されるようになっている。また、制御回路３５から左右２つの走査線駆動回路３３，３３には、垂直同期信号、クロック信号などが信号線３６を介して供給される。そして、制御回路３５から信号線駆動回路３４には、データ信号、水平同期信号などが信号線３７を介して供給されるようになっている。また、素子基板には、図示を省略してあるが、外部回路から各種信号が入力される入力端子などが形成されている。
【００４５】
そして、この駆動回路は、図５に示すように、共通電極電位ＬＣＣＯＭをグランド電位である低い電圧Ｖｓｓと高い電圧Ｖｄｄとの間で１フレームごとに反転させて、各画素２５に正極性のデータ信号（ビデオ信号）と負極性のデータ信号を交互に書き込むように構成されている。なお、ここにいう「１フレーム」は、走査線Ｙ１〜Ｙｍを順に選択して全ての画素２５の容量（液晶容量３１および蓄積容量３２）にデータ信号を書き込むことで１画面の表示がなされる期間をいう。
【００４６】
各走査線駆動回路３３は、図５に示すように、走査線Ｙ１〜Ｙｍを順に選択する垂直走査期間の最初に供給される転送開始信号ＤＹ、クロック信号ＣＹおよび反転クロック信号／ＣＹにより走査信号Ｇ１〜Ｇｍを順に生成して出力することで、走査線Ｙ１〜Ｙｍを順に選択するようになっている。走査線Ｙ１〜Ｙｍが順に選択されて各走査線に走査信号Ｇ１〜Ｇｍが供給されると、各走査線に接続された全てのＴＦＴ２６がオン状態になるように構成されている。
【００４７】
図５に示すように、ｔ１時点に共通電極電位ＬＣＣＯＭがＶｄｄからＶｓｓに反転した後、ｔ２時点に転送開始信号ＤＹが各走査線駆動回路３３に供給されると、各走査線駆動回路３３はｔ３時点からｔ４時点までの間で、走査信号Ｇ１〜Ｇｍを順に生成して出力することで、走査線Ｙ１〜Ｙｍを順に選択する。走査信号Ｇｍによる選択期間がｔ５時点で終了した後、ｔ６時点に共通電極電位ＬＣＣＯＭがＶｓｓからＶｄｄに反転するようになっている。このような動作が繰り返される。
【００４８】
信号線駆動回路３４は、図６に示すように、走査線Ｙ１〜Ｙｍが順に選択される１水平走査期間（図６のｔ４時点からｔ５時点までの期間）に、Ｈレベルのデータ信号Ｓ１〜Ｓｎを順に出力するシフトレジスタ（図示省略）を備えている。
【００４９】
次に、本実施形態の液晶表示装置の動作を図１及び図７に基づいて説明する。
図１に示すように、ある１フレーム（プラスフィールド）の第１サブフィールドＳＦ１では、走査信号Ｇ１〜Ｇｍにより走査線Ｙ１〜Ｙｍを順に選択する。これにより、走査線Ｙ１〜Ｙｍの内、選択された一つの走査線に接続された各画素２５のＴＦＴ２６がそれぞれオン状態となる。こうして一つの走査線が順に選択される各水平走査期間に、データ信号Ｓ１〜Ｓｎとして正極性のデータ信号１１が対応する画素２５にそれぞれ書き込まれる。こうして全ての画素２５に正極性のデータ信号１１を書き込むことにより、１画面の表示が構成される。
【００５０】
この後、そのプラスフィールドの第２サブフィールドＳＦ２では、走査信号Ｇ１〜Ｇｍにより走査線Ｙ１〜Ｙｍが順に選択される各水平走査期間に、第１サブフィールドＳＦ１のデータ信号１１と同じ極性（正極性）でかつ電圧値が最大（＋Ｖｍａｘ）の非データ信号１２を画素２５の全てに書き込む。こうして非データ信号１２を画素２５の全てに書き込んだ第２サブフィールドＳＦ２の期間では、表示モードがノーマリホワイト・モードであるので、図７（ａ）に示すように全ての画素２５での表示が黒になる。つまり、全ての画素２５の液晶２４の透過率が実質的に０％になり、１画面全体が黒表示になる。
【００５１】
こうして１画面全体を黒表示にした後に、図１に示す次フレーム（マイナスフィールド）では、第１サブフィールドＳＦ１で、プラスフィールドの第１サブフィールドＳＦ１と同様に走査線Ｙ１〜Ｙｍを順に選択する各水平走査期間に、負極性（―Ｖｐ）のデータ信号１３を対応する各画素２５に順に書き込む。図７（ｂ）は走査線Ｙ１に接続された複数の画素２５にデータ信号１３が書き込まれた状態を示している。また、図７（ｃ）は走査線Ｙ２に接続された複数の画素２５にデータ信号１３が書き込まれた状態を示している。このようにして、全ての画素２５にデータ信号１３を書き込んでいき、最下行の走査線Ｙｍに接続された複数の画素２５にデータ信号１３の書き込みを終了すると１画面の表示が構成される。
【００５２】
この後、そのマイナスフィールドの第２サブフィールドＳＦ２では、走査線Ｙ１〜Ｙｍを順に選択する各水平走査期間に、第１サブフィールドＳＦ１のデータ信号１３と同じ極性（負極性）でかつ電圧値が最大（―Ｖｍａｘ）の非データ信号１４を画素２５の全てに書き込む。こうして非データ信号１４を画素２５の全てに書き込んだ第２サブフィールドＳＦ２の期間でも、図７（ａ）に示すような黒表示が得られる。
【００５３】
このような動作が繰り返されることで、正極性のデータ信号１１が書き込まれて表示される１画面と、黒表示の１画面と、負極性のデータ信号１３が書き込まれて表示される１画面と、黒表示の１画面とが、１／２フレームの時間長を有するサブフィールドごとに順に構成されていく。
【００５４】
以上のように構成された第１実施形態によれば、以下の作用効果を奏する。
（イ）本実施形態のフレーム反転駆動では、各フレームの第１サブフィールドＳＦ１で前フレームの第１サブフィールドＳＦ１とは極性の異なるデータ信号１１又は１３を書き込む。この後に（同じフレームの第２サブフィールドＳＦ２で）、その書き込んだデータ信号と同じ極性でかつ電圧値が最大の非データ信号１２又は１４を画素２５の全てに書き込むようにしている。
【００５５】
このようなフレーム反転駆動を行うことにより、各フレームにおいて第１サブフィールドＳＦ１から第２サブフィールドＳＦ２に移行したとき、各信号線Ｘ１〜Ｘｎにかかる電位の変化は、互いに同極性であるデータ信号１１，１３と非データ信号１２，１４との差分であり，小さくなる。したがって、いずれの１フレームにおいても、第１サブフィールドＳＦ１から第２サブフィールドＳＦ２に移行したときの各信号線Ｘ１〜Ｘｎにかかる電位の変化は、１フレームごとに逆極性のデータ信号を書き込む上記通常のフレーム反転駆動に比べて小さくなる。そのため、データ信号が書き込まれた各画素２５の画素電極電位は、各信号線Ｘ１〜Ｘｎにかかる電位の変化の影響を受け、ＴＦＴ２６のオフ抵抗を通じたリークにより変動するが、そのリーク量は上記通常のフレーム反転駆動に比べて少なくなる。
【００５６】
また、本実施形態のフレーム反転駆動では、各フレームの第２サブフィールドＳＦ２では、データ信号１１又は１３と同じ極性でかつ電圧値が最大の非データ信号１２又は１４を全ての画素２５に書き込むようにしている。これにより、本実施形態では表示モードがノーマリホワイト・モードであるので、１画面全体が黒表示になる。こうして全ての画素２５に黒表示をさせた後に、次フレームの第１サブフィールドＳＦ１で、前フレームの第１サブフィールドＳＦ１のデータ信号とは極性の異なるデータ信号を全ての画素２５に書き込むようにしている。
【００５７】
このようにして黒表示にした前フレームの第２サブフィールドＳＦ２から次フレームの第１サブフィールドＳＦ１に移行したときにも、黒表示の電圧が保持された各画素２５の画素電極電位は、各信号線Ｘ１〜Ｘｎにかかる電位の変化による影響を受けて前記リークにより変動する。しかし、黒表示は、図２に示す液晶のＶ−Ｔ特性（電圧−透過率特性）から明らかなようにそのＶ−Ｔ曲線の安定領域にあり、多少の電圧変化があっても透過率の変化は少ない。そのため、前フレームの第２サブフィールドＳＦ２から次フレームの第１サブフィールドＳＦ１に移行したときに、各信号線Ｘ１〜Ｘｎにかかる電位の変化による影響を受けて各画素２５の画素電極電位が変動しても、黒表示になっている各画素２５での液晶２４の透過率の変化、つまり輝度の変化は少ない。
【００５８】
以上のようなフレーム反転駆動を行うので、各信号線Ｘ１〜Ｘｎにかかる電位の変化による影響を受けて各画素２５の画素電極電位が変動することによるクロストーク、即ち液晶表示パネル２１の上下方向における輝度ムラを抑制することができる。
【００５９】
（ロ）上記特許文献１のような連続点灯タイプの表示装置（ホールド型表示装置）は、ＣＲＴのようなパルス点灯タイプの表示装置（インパルス型表示装置）に比べて、原理的に動画質（動画視認性）が劣る。つまり、ホールド型表示装置では、動画表示時にボケ現象が生じるおそれがある。このボケ現象は、動体の動きに眼が追随した場合、前フレームの画像から次フレームの画像へ絵が切り替わる期間も、同じ前フレームの画像が表示され続けているにも拘わらず、眼が前フレームの画像上を移動しながら観察してしまうことにより発生する。
【００６０】
これに対して、本実施形態のフレーム反転駆動では、各フレームの第２サブフィールドＳＦ２で非データ信号１２又は１４の書き込みにより図７（ａ）に示すように画素２５の全てに黒表示をさせる。これにより、データ信号がそれぞれ書き込まれる各フレームの第１サブフィールドＳＦ１の前に、黒表示の期間が作られることになり、インパルス型の表示（非ホールド型の表示）が得られ、動画質が向上する。
【００６１】
（ハ）各フレームを２つのサブフィールドＳＦ１，ＳＦ２に分割し、各フレームの第１サブフィールドＳＦ１に前フレームとは極性の異なるデータ信号を書き込み、各フレームの第２サブフィールドＳＦ２に非データ信号を書き込むようにしている。これにより、各フレームの第１サブフィールドＳＦ１で正極性又は負極性のデータ信号が書き込まれて１画面の表示がなされ、同じフレームの第２サブフィールドＳＦ２で非データ信号が書き込まれて黒表示がなされる。これにより、チラツキの少ない表示が得られる。
【００６２】
（ニ）２つのサブフィールドＳＦ１，ＳＦ２の時間長を同じにし、フレーム周波数を６０Ｈｚとすると、各フレームの第１サブフィールドＳＦ１でデータ信号が書き込まれる周期は１／１２０秒になるので、第１サブフィールドＳＦ１でのデータ信号の書き込みを倍速で行うことができる。
【００６３】
[ 第２実施形態] 
図８は、本発明の第２実施形態に係る液晶表示装置の駆動方法を示している。この液晶表示装置のフレーム反転駆動では、各フレームの第２サブフィールドＳＦ２の後半の期間（１／２Ｔ）において、前記非データ信号１２又は１４を全ての画素２５に書き込んで黒表示にするようにしている点でのみ、上記第１実施形態のフレーム反転駆動とは異なる。つまり、第２サブフィールドＳＦ２で非データ信号１２又は１４を書き込んで保持する時間を、第１サブフィールドＳＦ１でデータ信号１１又は１３を書き込んで保持する時間の半分にしている。
【００６４】
そのために、本実施形態では、各フレームの第１サブフィールドＳＦ１の終了時から第２サブフィールドＳＦ２の期間Ｔの半分の期間１／２Ｔが経過するまで、各信号線Ｘ１〜Ｘｎに黒表示に必要な前記非データ信号１２，１４の電圧をかけておく。そして、第１サブフィールドＳＦ１の終了時から１／２Ｔの期間が経過した時点で、上述したように順に選択する走査線Ｙ１〜Ｙｍの内、選択する一つの走査線に接続された各画素２５のＴＦＴ２６をオン状態にするようになっている。
【００６５】
このように構成された第２実施形態によれば、上記作用効果（イ）〜（ニ）に加えて以下の作用効果を奏する。
（ホ）データ信号を書き込んで保持する時間を十分にとることができ、より明るい表示を実現することができる。
【００６６】
[ 第３実施形態] 
図９は、本発明の第３実施形態に係る液晶表示装置の駆動方法を示している。この液晶表示装置のフレーム反転駆動では、極性の異なる前記データ信号１１，１３をそれぞれ書き込む２つのフレーム間に、前記非データ信号１２，１４を書き込むための１フレームをそれぞれ設けている点でのみ、上記第１実施形態のフレーム反転駆動とは異なる。つまり、前記データ信号１１、非データ信号１２、データ信号１３、および非データ信号１４の順に各データを書き込む期間を、時間長が同じ１フレームとしている。
【００６７】
このように構成された第３実施形態によれば、上記作用効果（イ）〜（ニ）に加えて以下の作用効果を奏する。
（ヘ）データ信号１１，１３と非データ信号１２，１４をそれぞれ書き込むタイミングの制御が容易になるとともに、データ信号を書き込む時間を十分にとることができる。
【００６８】
（ト）２つのフレームの周期を１／６０秒にすると、データ信号が書き込まれる各フレームの周期は１／１２０秒になるので、データ信号の書き込みを倍速で行うことができる。
【００６９】
[ 第４実施形態] 
図１０は、本発明の第４実施形態に係る液晶表示装置の駆動方法を示している。この液晶表示装置のフレーム反転駆動では、非データ信号１２，１４を書き込む各フレームでは、１フレームの後半の期間（１／２フレーム期間）に、前記非データ信号１２，１４を全ての画素２５に書き込んで黒表示にするようにしている点で、上記第３実施形態のフレーム反転駆動とは異なる。つまり、非データ信号１２，１４を書き込んで保持する時間を、データ信号１１，１３を書き込んで保持する時間の半分にしている。そのための駆動方法は、図８に示す上記第２実施形態の場合と同様である。
【００７０】
このように構成された第４実施形態によれば、上記作用効果（ホ）を奏することができる。
[ 第５実施形態] 
次に、本発明の第５実施形態に係る液晶表示装置を図１１及び図１２に基づいて説明する。図１１は液晶表示装置の駆動回路の電気的構成と液晶表示パネルの電気的等価回路の一部を概略的に示しており、図１２はフレーム反転駆動の動作を示している。
【００７１】
この液晶表示装置は、各画素２５に、２端子スイッチング素子であるＭＩＭ素子を用いた２端子型アクティブマトリクス液晶表示装置である。この液晶表示装置は、図１１に示すように液晶表示パネル２１Ａを有している。液晶表示パネル２１Ａは、液晶層を扶持する一対の基板の一方、例えば素子基板に複数の信号線Ｘ１〜Ｘｎが形成され、その他方、例えば対向基板に複数の走査線Ｙ１〜Ｙｍが信号線Ｘ１〜Ｘｎとそれぞれ交差するように形成されている。走査線Ｙ１〜Ｙｍと信号線Ｘ１〜Ｘｎの交差部に対応する各画素２５には、ＭＩＭ素子８０と画素電極２９とが互いに直列に接続されている。各画素のＭＩＭ素子８０は、画素電極２９と走査線Ｙ１〜Ｙｍのいずれか一つとの間に接続されている。
【００７２】
各画素２５にあっては、画素電極２９と、液晶２４と、液晶２４を介して画素電極２９と対向する走査線又は信号線とで、液晶層を誘電体とする液晶容量３１がそれぞれ構成される。なお、この液晶表示パネル２１Ａの表示モードも、各画素電極２９に印加する電圧の絶対値（画素電圧）が高くなると表示が暗くなるノーマリホワイト・モードである。
【００７３】
また、この液晶表示装置では、信号線駆動回路３４Ａは、複数の信号線Ｘ１〜Ｘｎを駆動するデータ電圧信号としての信号電圧波形８２（図１２（ｂ）参照）を各信号線Ｘ１〜Ｘｎに供給する。また、走査線駆動回路３３Ａは、複数の走査線Ｙ１〜Ｙｍを駆動する走査電圧信号としての走査電圧波形８１（図１２（ａ）参照）を各走査線Ｙ１〜Ｙｍに供給する。そして、図示を省略した電源回路は、走査電圧波形８１と信号電圧波形８２を構成するのに必要な複数の電圧Ｖ０，Ｖ１，Ｖ４，Ｖ５を発生するようになっている。具体的には、電源回路は、複数の電圧Ｖ０，Ｖ１，Ｖ４，Ｖ５を生成し、Ｖ０を正の選択電圧、Ｖ５を負の選択電圧、Ｖ１を正の非選択電圧、Ｖ４を負の非選択電圧として、走査線駆動回路３３Ａに供給する。また、電源回路は、電圧Ｖ１と電圧Ｖ４をデータ電圧として信号線駆動回路３４Ａに供給する。
【００７４】
そして、この液晶表示装置では、複数の走査線Ｙ１〜Ｙｍは順に（１選択期間）ずつ選択されていき、全ての走査線Ｙ１〜Ｙｍが1 巡して選択し終わる期間が１フレームである。ある走査線には、ある選択期間で選択されて正の選択電圧Ｖ０が印加される。選択が終了し非選択期間になると、走査線には正の非選択電圧Ｖ１が印加され、この状態が次に選択されるまで維持される。１フレーム期間後、次に選択されると、前回印加した選択電圧Ｖ０と極性が逆である負の選択電圧Ｖ５が印加される。そして、選択が終了し非選択期間になると負の非選択電圧Ｖ４が印加され、この状態が次に選択されるまで維持される。これが、全ての走査線Ｙ１〜Ｙｍに対して、順次繰り返される。
【００７５】
また、このような液晶表示装置では、階調表示を行う為に、パルス幅変調方式という駆動方法をとっている。この駆動方法では、信号線駆動回路３４Ａは、図１２（ｂ）に示すように、各選択期間に、信号電圧波形８２として、正のデータ電圧Ｖ１と負のデータ電圧Ｖ４の電圧からなるパルス信号を各信号線に供給し、各パルス信号の幅を各画素の表示すべき階調に応じて増減する。すなわち、ノーマリホワイト・モードの場合、１選択期間の選択電圧が正の場合（正の選択電圧Ｖ０の場合）には、負のデータ電圧Ｖ４をより長く印加すると画素は暗くなり、そのデータ電圧Ｖ４をより短く印加すると明るくなる。逆に1 選択期間の選択電圧が負の場合（負の選択電圧Ｖ５の場合）には、正のデータ電圧Ｖ１をより長く印加すると画素は暗くなり、そのデータ電圧Ｖ１をより短く印加すると明るくなる。なお、このパルス信号を構成する正負２値の電圧の内、選択電圧と同じ極性の電圧をオフ電圧、逆極性の電圧をオン電圧と定義する。
【００７６】
次に、各画素２５に印加する差分電圧波形８３について説明する。各選択期間に走査電圧波形８１と信号電圧波形８２を印加することによって、図１２（ｃ）に示すような差分電圧波形８３がデータ信号として、各画素電極２９に印加される。すなわち、差分電圧波形８３には、１選択期間８４と、非選択期間８５があり、１選択期間８４内の合成選択パルス８６により各画素電極２９に信号を書き込む。非選択期間８５の間各画素電極２９に書き込まれた信号を保持、記憶する。また、階調表示する際には、その階調に従って合成選択パルス８６の先端部分のパルス幅８７が変化する。
【００７７】
各画素２５のＭＩＭ素子８０は、各選択期間に走査線を介して供給される走査電圧波形８１（走査電圧）と、信号線を介して供給される信号電圧波形８２（信号電圧）との差分電圧波形８３で、階調に応じたパルス幅を有する合成選択パルス８６（データ信号）が閾値を超えるとオン状態となる。
【００７８】
そして、本実施形態のフレーム反転駆動では、図１２に示すように、各フレーム、例えばプラスフィールドの各選択期間に正極性の合成選択パルス８６（データ信号）を書き込む。この後、次のフレームで、その書き込んだ合成選択パルス８６と同じ極性でパルス幅８９が最大の非データ信号８８を画素２５の全てに書き込む。この非データ信号８８の書き込み後、次のフレーム（マイナスフィールド）で、前フレーム（プラスフィールド）で書き込んだ合成選択パルス８６とは極性の異なる合成選択パルス８６を画素２５に書き込む。以下、この動作を繰り返す。
【００７９】
このように構成された第５実施形態によれば、以下の作用効果を奏する。
（チ）各フレームで正極性又は負極性の合成選択パルス８６（データ信号）を書き込んだ後に、その書き込んだ合成選択パルス８６と同じ極性でパルス幅８９が最大の非データ信号８８を画素２５の全てに書き込むようにしている。非データ信号８８は、前フレームで書き込んだ合成選択パルス８６と同じ極性でパルス幅８９が最大の電圧信号である。そのため、各フレームで合成選択パルス８６を書き込んだ後に、非データ信号８８を画素の全てに書き込んだとき、各信号線にかかる電位の変化はない。そのため、合成選択パルス８６が書き込まれた各画素２５の画素電極電位は、ＭＩＭ素子８０のオフ抵抗を通じたリークにより変動しない。
【００８０】
また、非データ信号８８を書き込んで全ての画素に黒表示をさせた後に、前フレームの合成選択パルス８６とは極性の異なる合成選択パルス８６を画素２５に書き込むようにしている。こうして黒表示をさせた後に、前フレームで書き込んだ合成選択パルス８６とは極性の異なる合成選択パルス８６を各画素２５に書き込んだとき、黒表示の電圧が保持された各画素の画素電極電位は、各信号線にかかる電位の変化による影響を受けて前記リークにより変動する。しかし、黒表示は、Ｖ−Ｔ曲線の安定領域にあり、多少の電圧変化があっても透過率の変化は少ない。そのため、黒表示をさせた後に、前フレームで書き込んだ合成選択パルス８６とは極性の異なる合成選択パルス８６を画素の全てに書き込んだときに、各信号線にかかる電位の変化による影響を受けて各画素の画素電極電位が変動しても、各画素での液晶の透過率の変化、つまり輝度の変化は少ない。
【００８１】
以上のようなフレーム反転駆動を行うので、各信号線にかかる電位の変化による影響を受けて各画素の画素電極電位が変動することによるクロストーク、即ち上下方向における輝度ムラを抑制することができる。また、非データ信号８８の書き込みにより画素の全てに黒表示をさせるので、合成選択パルス８６がそれぞれ書き込まれる一つのフレームと次フレームとの間に、黒表示の期間が作られることになる。これにより、インパルス型の表示（非ホールド型の表示）が得られ、動画質が向上する利点も同時に得られる。
【００８２】
[ 第６実施形態] 
図１３は、本発明の第６実施形態に係る液晶表示装置の駆動方法を示している。この液晶表示装置では、液晶表示パネル２１の表示モードはノーマリホワイト・モードで、白表示が得られるようにしている。そのために、この液晶表示装置のフレーム反転駆動では、各サブフィールドＳＦ２で、同じフレームのサブフィールドＳＦ１で書き込んだデータ信号１１又は１３と同じ極性でかつ電圧値が最小の非データ信号１２´又は１４´を印加するようになっている。
【００８３】
このように構成された第６実施形態によれば、以下の作用効果を奏する。
（リ）各フレームの第２サブフィールドＳＦ２で得られる白表示は、上記第１実施形態における黒表示と同様に、液晶のＶ−Ｔ曲線の安定領域にあり、多少の電圧変化があっても透過率の変化は少ない。そのため、第２サブフィールドＳＦ２から次フレームの第１サブフィールドＳＦ１に移行したときに、各信号線Ｘ１〜Ｘｎにかかる電位の変化による影響を受けて各画素２５の画素電極電位が変動しても、白表示になっている各画素２５での液晶２４の透過率の変化、つまり輝度の変化は少ない。したがって、上記作用効果（イ）と同様に、各信号線Ｘ１〜Ｘｎにかかる電位の変化による影響を受けて各画素２５の画素電極電位が変動することによるクロストーク、即ち液晶表示パネル２１の上下方向における輝度ムラを抑制することができる。
【００８４】
［電子機器］
次に、上記各実施形態で説明した液晶表示装置の液晶表示パネル２１を用いた電子機器について説明する。図３に示す液晶表示パネル２１および図１１に示す液晶表示パネル２１Ａは、図１４に示すようなモバイル型のパーソナルコンピュータに適用できる。図１４に示すパーソナルコンピュータ９０は、キーボード９１を備えた本体部９２と、液晶表示パネル２１或いは２１Ａを用いた表示ユニット９３とを備えている。このパーソナルコンピュータ９０では、高精細でも、低消費電力でかつ明るい表示を実現することができる。
【００８５】
[ 変形例] 
なお、この発明は以下のように変更して具体化することもできる。
・上記第１〜第４実施形態において、表示モードをノーマリブラック・モードにして、サブフィールドＳＦ１で書き込んだデータ信号と同じ極性でかつ電圧値が最大の非データ信号１２，１４を全画素に書き込むことで、白表示を得るように構成する場合にも本発明は適用可能である。
【００８６】
・上記第５実施形態において、ノーマリブラック・モードにして、プラスフィールドとマイナスフィールドの間のフレームで、前のフレームで書き込んだデータ信号としての合成選択パルス８６と同じ極性でパルス幅８９が最大の非データ信号８８を書き込むように構成してもよい。こうした構成によっても、白表示が得られ、図１３に示す第６実施形態と同様に上記作用効果（リ）を奏する。
【００８７】
・上記第５実施形態において、ノーマリホワイト・モードのままで、プラスフィールドとマイナスフィールドの間のフレームで、前のフレームで書き込んだデータ信号としての合成選択パルス８６と同じ極性でパルス幅が最小の非データ信号を書き込むように構成してもよい。こうした構成によっても、白表示が得られ、図１３に示す第６実施形態と同様に上記作用効果（リ）を奏する。
【００８８】
・図１３に示す上記第６実施形態では、図１に示す上記第１実施形態において。黒表示に代えて白表示が得られるようにしているが、上記第２〜第４実施形態においても、データ信号と同じ極性で電圧値が最小の非データ信号を印加することで、黒表示に代えて白表示を得ることができる。こうした構成にも本発明は適用可能である。
【００８９】
・上記第１実施形態では、液晶を反転駆動するのに、共通電極電位ＬＣＣＯＭを１フレームごとに反転させるようにしているが、他の方法で液晶を反転駆動する場合にも本発明は適用可能である。
【００９０】
・上記各実施形態では、ＴＮ（Twisted Nematic ）型の液晶２４を用いているが本発明はこれに限定されない。液晶としては、スイッチング素子を介して各画素に正極性のデータ信号と負極性のデータ信号を１フレームごとに交互に書き込むフレーム反転が可能なものであればよい。例えば、液晶として１８０°以上のねじれ配向を有するＳＴＮ（Super Twisted Nematic ）型、ＢＴＮ（Bi-stable Twisted Nematic ）型、高分子分散型、ゲストホスト型等を含めて、周知なものを広く用いることができる。
【００９１】
・上記第５実施形態では、各画素のスイッチング素子としてＭＩＭ素子を用いているが、これに代えて、バック・ツウー・バック・ダイオード素子、ダイオード・リング素子、バリスタ素子等の非線形抵抗素子を用いた構成にも本発明は適用可能である。
【００９２】
・液晶表示装置の液晶表示パネル２１，２１Ａは、図１４に示すようなパーソナルコンピュータに限らず、携帯電話、デジタルカメラ等の各種の電子機器に適用できる。
【００９３】
・上記各実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【図面の簡単な説明】
【００９４】
【図１】第１実施形態に係る液晶表示装置の駆動方法を示す波形図。
【図２】液晶のＶ−Ｔ特性（電圧−透過率特性）を示すグラフ。
【図３】液晶表示装置の駆動回路の電気的構成を示す概略構成図。
【図４】液晶表示パネルの電気的等価回路の一部を示す回路図。
【図５】走査線駆動回路の動作を示すタイミングチャート。
【図６】信号線駆動回路の動作を示すタイミングチャート。
【図７】（ａ），（ｂ）および（ｃ）はインパルス型の表示を示す説明図。
【図８】第２実施形態に係る液晶表示装置の駆動方法を示す波形図。
【図９】第３実施形態に係る液晶表示装置の駆動方法を示す波形図。
【図１０】第４実施形態に係る液晶表示装置の駆動方法を示す波形図。
【図１１】第５実施形態に係る液晶表示装置の電気的構成を示す概略構成図。
【図１２】（ａ），（ｂ）および（ｃ）は第５実施形態に係る液晶表示装置の駆動方法を示す波形図。
【図１３】第６実施形態に係る液晶表示装置の駆動方法を示す波形図。
【図１４】液晶表示パネルを用いた電子機器を示す斜視図。
【図１５】従来例の問題点を示す説明図。
【符号の説明】
【００９５】
Ｇ１〜Ｇｍ…走査信号、ＳＦ１…第１サブフィールド、ＳＦ２…第２サブフィールド、Ｘ１〜Ｘｎ…信号線、Ｙ１〜Ｙｍ…走査線、Ｓ１〜Ｓｎ，１１，１３…データ信号、１２，１４，１２´，１４´，８８…非データ信号、２４…電気光学素子としての液晶、２５…画素、２６…スイッチング素子としての薄膜トランジスタ（ＴＦＴ）、３３，３３Ａ…走査線駆動回路、３４，３４Ａ…信号線駆動回路、３５…制御回路、８０…スイッチング素子としてのＭＩＭ素子、８１…走査電圧信号としての走査電圧波形、８２…データ電圧信号としての信号電圧波形、８３…差分電圧としての差分電圧波形、８６…データ信号としての合成選択パルス、８７，８９…パルス幅。
【図１】
2006285270.tif 000003
【図２】
2006285270.tif 000004
【図３】
2006285270.tif 000005
【図４】
2006285270.tif 000006
【図５】
2006285270.tif 000007
【図６】
2006285270.tif 000008
【図７】
2006285270.tif 000009
【図８】
2006285270.tif 000010
【図９】
2006285270.tif 000011
【図１０】
2006285270.tif 000012
【図１１】
2006285270.tif 000013
【図１２】
2006285270.tif 000014
【図１３】
2006285270.tif 000015
【図１４】
2006285270.tif 000016
【図１５】
2006285270.tif 000017